(57)【要約】【課題】橋梁の高欄部の外側壁面に吹き付け塗装を行う移動足場装置であって、高欄部の外側壁面に吹きつけた塗料の跳ね返り粒子が外部に飛散することにより環境が悪化するのを防止しながら塗装作業を行えるようにする。【解決手段】橋梁の高欄部Ｂの外側壁面Ｂ１に沿って移動する作業用足場装置において、内部を作業空間部１１に形成している足場用フレーム２における上記高欄部Ｂの外側壁面Ｂ１と対面した内側面以外の面を非通気性シート３の張設によって密閉すると共に、外側壁面Ｂ１と対面して開口している内側面の周縁に外側壁面Ｂ１に密接させる弾性シール材８を装着して、外側壁面Ｂ１に対する吹き付け塗装時における跳ね返り粒子を、外部に飛散させることなく作業空間部１１内に取込み、足場用フレーム２の前後両面に装着しているフィルター付換気装置４によって換気するように構成している。【選択図】　　図１
2004100193.tif 000002
【特許請求の範囲】
【請求項１】
内部を作業用空間部に形成している足場フレームに作業床を敷設していると共にこの足場フレームの上端部を橋梁の高欄部の上端部に複数個の車輪を介して支持させ、高欄部の外側壁面に沿って移動可能に配設している作業用足場装置であって、上記足場フレームを形成しているフレーム部間に、高欄部の外側壁面に対面している内側面の開口部を残して非通気性シートを張設していることを特徴とする橋梁高欄部の作業用足場装置。
【請求項２】
非通気性シートは足場フレームにおける隣接するフレーム部上に固定したシート取付用フレーム材間に張設されていると共に高欄部と対面して開口している足場フレームの内側面の外周縁部に高欄部の外側壁面に当接させるシール材を装着していることを特徴とする請求項１に記載の橋梁高欄部の作業用足場装置。
【請求項３】
足場フレームに非通気性シートを貫通して足場フレームの内外に連通するフィルター付換気装置を付設していることを特徴とする請求項１又は請求項２に記載の橋梁高欄部の作業用足場装置。
【発明の詳細な説明】
【０００１】
【発明の属する技術分野】
本発明は、高架路線等の橋梁の側壁である高欄部に対して、樹脂液の吹き付け塗装等の補修作業やサンダ等による表面処理作業を行うための作業用足場装置に関するものである。
【０００２】
【従来の技術】
従来から、橋梁における高欄部の外側壁面に塗装等の作業を行うには図７、図８に示すような移動足場装置Ａ’を使用して行っている。この移動足場装置Ａ’は、足場用フレーム３１の上端内側部に車輪用フレーム部３２を一体に設け、この車輪用フレーム部３２に高欄部Ｂの上端面を転動する頂部車輪３３と高欄部Ｂの上端部における内外側壁面を挟むようにして転動する側部車輪３４、３５を装着して足場用フレームを高欄部Ｂの外側壁面に沿って移動させるように構成している。そして、足場用フレーム３１には上部作業床３６と下部作業床３７とが備えられてあり、作業員がこれらの作業床３６、３７上に搭乗して足場装置Ａ’を高欄部Ｂの外側壁面に沿って移動させながら該高欄部Ｂの外側壁面や外底面部分に対する塗装作業や表面処理作業を行っている。なお、このような移動足場装置に類似した装置としては、例えば特許文献１等がある。
【０００３】
【特許文献１】
特開２００１−１７２９２０号公報（第２〜３頁、図１）。
【０００４】
【発明が解決しようとする課題】
しかしながら、このような移動足場装置Ａ’によれば、足場用フレーム３１を構成している隣接するフレーム部間には、外部に連通した大きな開口部が設けられているために、高欄部Ｂの外側壁面に樹脂液の吹き付け塗装を行ったり、サンダによる表面研削作業を行うと、外側壁面から跳ね返った塗料の粒子や研削された微粉末が足場フレームから四方に飛散して環境を著しく悪化させるという問題点があった。
【０００５】
本発明はこのような問題点に鑑みてなされたもので、その目的とするところは、塗料の粒子や研削された微粉末等を外部に飛散させることなく、高欄部の外側壁面に対して塗装作業や表面処理作業を行えるようにした橋梁高欄部の作業用足場装置を提供するにある。
【０００６】
【課題を解決するための手段】
上記目的を達成するために、本発明の橋梁高欄部の作業用足場装置は、請求項１に記載したように、内部を作業用空間部に形成している足場フレームに作業床を敷設していると共にこの足場フレームの上端部を橋梁の高欄部の上端部に複数個の車輪を介して支持させ、高欄部の外側壁面に沿って移動可能に配設している作業用足場装置であって、上記足場フレームを形成しているフレーム部間に、高欄部の外側壁面に対面している内側面の開口部を残して非通気性シートを張設した構造としている。
【０００７】
このように構成した移動足場装置において、請求項２に係る発明は、上記非通気性シートを足場フレームにおける隣接するフレーム部上に固定したシート取付用フレーム材間に張設していると共に高欄部と対面して開口している足場フレームの内側面の外周縁部に高欄部の外側壁面に当接させるシール材を装着した構造を有している。
【０００８】
また、請求項３に係る発明は、上記足場フレームに非通気性シートを貫通して足場フレームの内外に連通するフィルター付換気装置を付設していることを特徴としている。
【０００９】
【作用】
橋梁の高欄部に車輪を介して吊支状態に支持されている足場フレームの作業用空間部内に作業員が搭乗し、足場フレームを橋梁の長さ方向に移動させながらこの足場フレームが対面している高欄部の外側壁面に樹脂液の吹き付け塗装を行ったり、或いは、外側壁面に対するサンダによる表面研削作業を行う。これらの作業中において、吹き付けた塗料の粒子が跳ね返ったり、研削された外側壁面の微粉末が足場フレーム内からフレーム部間を通じて外部に飛散しようとするが、高欄部の外側壁面に対面している内側面以外の足場フレームの外面に、非通気性シートを張設しているので、塗料の粒子や外側壁面の研削された微粉末はこの非通気性シートによって外部に飛散、落下するのを阻止される。
【００１０】
足場用フレームの外面に対する非通気性シートの張設は、足場用フレームの隣接するフレーム部上にシート取付用フレーム材を固定しておき、このシート取付け用フレーム材間に配設することにより容易に行うことができ、また、その取外しも簡単に行うことができる。さらに、高欄部の外側壁面と対面している足場用フレームの内側面の開口外周縁部にシール材を装着しておき、このシール材を高欄部の外側壁面に当接させることによって、足場用フレーム内の気密性を保持し得ると共に該高欄部の外側壁面と足場用フレームとの間の隙間からの吹き付け塗料や研削により生じた微粉末が外部に飛散するのを確実に防止できる。
【００１１】
また、足場フレームに、上記非通気性シートを貫通して足場フレームの内外に連通するフィルター付換気装置を付設しておけば、高欄部の外側壁面を塗装した時の跳ね返った塗料粒子や研削の際に発生した微粒子をこの換気装置のフィルターによって捕捉させながら足場用フレーム内の空気を換気することができ、足場用フレーム内の作業用空間部を良好にして作業性を向上させることができる。
【００１２】
【発明の実施の形態】
次に、本発明の具体的な実施の形態を図面について説明する。図１〜図３において、移動足場装置Ａは、橋梁の側壁である高欄部Ｂの上端面上を転動する複数個の頂部車輪５と該高欄部Ｂの内外壁面Ｂ１、Ｂ２に当接してこれらの内外壁面Ｂ１、Ｂ２を挟持しながら転動する内外側部車輪６、７とを高欄部Ｂの長さ方向に所定間隔毎に取付けている支持フレーム１と、この支持フレーム１にその上端内側部を一体に連結、固着して支持フレーム１の外側面から高欄部Ｂの外側壁面Ｂ１に沿って垂設している足場用フレーム２と、該足場用フレーム２における高欄部Ｂの外側壁面Ｂ１と対面している内側面以外の面、即ち、前後両側面と外側面及び上下端面に張設している塩ビシート等の非通気性シート３と、前後両側面に張設している非通気性シート３、３を貫通して足場用フレーム２の内外に連通させた状態にして該足場用フレーム２に装着されているフィルター付換気装置４と、高欄部Ｂと対面して開口している足場フレーム１の上記内側面の四方外周縁部に装着されて高欄部の外側壁面に密接状態で当接させる一定厚みを有する帯状の弾性シール材８とから構成されている。
【００１３】
この移動足場装置Ａの構造をさらに詳しく説明すると、上記支持フレーム１は一定長さを有する側面横長長方形状の角棒材からなる内外水平枠部材１ａ、１ｂを高欄部Ｂの厚みよりも小なる間隔を存して平行に対設し、これらの内外水平枠部材１ａ、１ｂの前後両端部間を図４に示すように、連結部材１ｃによって一体に連結して高欄部Ｂの長さ方向に長い平面長方形状に形成してあり、この内外水平枠部材１ａ、１ｂ間に上記頂部車輪５、５・・を長さ方向、即ち、前後方向に一定間隔毎に回転自在に軸支している。なお、これらの頂部車輪５のうち、１個の頂部車輪５を支持フレーム１に取付けている駆動モータ（図示せず）により回転させるように構成していると共にこの駆動モータを遠隔操作によって作動させるように構成している。
【００１４】
また、内外の側部車輪６、７は、水平フレーム部９ａに下方に向かって一定長さの垂直フレーム部９ｂを一体に設けてなる逆Ｌ字状の車輪フレーム９における上記垂直フレーム部９ｂの下端部にそれぞれ回転自在に軸支されてあり、これらの側部車輪６、７を有する車輪フレーム９を３本以上、上記支持フレーム１の上面における前後及び中間部にその長さ方向をこの支持フレーム１と直角方向に向けて溶接等により一体に固着している角筒部材１０にそれぞれ取外し（抜き取り）可能に挿入して、ボルト・ナットにより固定されている。なお、外側の側部車輪７は支持フレーム１或いは足場用フレーム２に一体に固着しておき、内側の側部車輪６を有する車輪フレーム９のみを上記角筒部材１０に着脱自在に装着しておいてもよい。
【００１５】
一方、上記足場用フレーム２は、前後方向に長い一定幅と長さを有する平面長方形状の底枠部２Ａの内外側端部上に上下方向の長さが高欄部Ｂの高さよりも長く且つ高欄部Ｂに沿った前後方向の幅が底枠部２Ａの長さに等しい幅に形成している縦長矩形枠状の内外フレーム部２Ｂ、２Ｃを互いに平行に対向させた状態で立設していると共に、これらの内外フレーム部２Ｂ、２Ｃの上端部間に上記底枠部２Ａと同大、同形の天枠部２Ｄを一体に固着して内部に作業用空間部１１を有する箱形状に形成していると共に上下方向の長さの中央部と上記底枠部２Ａとに作業床１２、１３を敷設している。なお、この足場用フレーム２には内外フレーム部２Ｂ、２Ｃの前後両端間で形成している前後面２１、２２やこれらの内外フレーム部２Ｂ、２Ｃによって形成している内外側面２３、２４には手摺りや安全性を高めるための複数本の補強兼用桟部材１４を取付けている。
【００１６】
この足場用フレーム２における内側面以外の面、即ち、上記前後両面２１、２２と外側面２４、及び上下端面には、上記非通気性シート３が張設されている。この非通気性シート３の取付構造は、図　に示すように前後両側面２１、２２においては、足場用フレーム２の内外フレーム部２Ｂ、２Ｃを形成している前端側の垂直枠部２ｂ１、２ｃ１　上に断面Ｌ字状のシート取付用フレーム材１５を固着して、これらのフレーム材１５、１５の断面Ｌ字状溝内に比較的厚みのある塩ビシートからなる非通気性シート３の両端縁部を挿入、固定することによって張設され、外側面２４においても同様に、この外側面２４を形成している外側フレーム部２Ｃの上記前後垂直枠部２ｃ１、２ｃ２　とこれらの前後垂直枠部２ｃ１　、２ｃ２　間の中間垂直枠部２ｃ３　とに断面Ｌ字状のシート取付用フレーム材１５を固着して、隣接するフレーム材１５、１５の断面Ｌ字状溝内に上記塩ビシートからなる非通気性シート３の両端縁部を挿入、固定することによって張設されている。
【００１７】
なお、足場用フレーム２の床枠部２Ａにも、同様にして非通気性シート３を全面的に張設されているが、作業床１３によって床枠部２Ａが隙間なく密閉されている場合には必ずしも張設しておく必要はない。また、足場用フレーム２の天枠部２Ｄには作業員の出入口等が設けられているが、この出入口に開閉扉を設けている場合にはこの開閉扉を含め、該天枠部２Ｄの全面に非通気性シート３を張設している。さらに、図１に示すように、足場用フレーム２の下部内側面に高欄部Ｂの外底面下方に向かって補助足場台２’を突設している場合には、この補助足場台２’の外底面の前後両面と内側面に上記同様にシート取付用フレーム材１５を張設していると共に、開口した上端面における前後両端縁部と内側端縁部とに、外端を足場用フレーム２の内側面における前後両端縁に縦方向に取付けている弾性シール材８の下端に連設させている弾性シール材８’を装着している。
【００１８】
足場用フレーム２には、作業用空間部１１内の換気を行うために、前後両面２１、２２の中央部に非通気性シート３を貫通して作業用空間部１１の内外に連通したフィルター付換気装置４、４を配設している。この換気装置４は、図６に示すように、円筒状本体４ａの開口端にフィルター４ｂを取り替え可能に装着していると共に内部にモータ４ｄによって回転する換気ファン４ｃが回転自在に支持されてあり、このフィルタ付換気装置４、４を足場用フレーム２の枠部に取付けて作業用空間部１１内の換気を行うように構成している。
【００１９】
なお、足場用フレーム２の天枠部２Ｄ上の端縁部には柵１６が立設されていると共に、上記支持フレーム１の内側端部には高欄部Ｂの内側面側から作業員が足場用フレーム２に対して昇降可能な階段よりなる昇降設備１７が装着されている。
【００２０】
以上のように構成した移動足場装置Ａによって、例えば、橋梁の高欄部Ｂの外側壁面Ｂ１に塗装作業を行うには、足場用フレーム２を高欄部Ｂの外側壁面Ｂ１に沿わせ、支持フレーム１に配している頂部車輪５を高欄部Ｂの上端面に載せると共に内外の側部車輪６、７を高欄部Ｂの上端部内外側壁面Ｂ１、Ｂ２に挟むようにして当接させて、足場用フレーム２を高欄部Ｂの外側壁面Ｂ１に沿って安定した状態で前後方向に走行できるように足場用フレーム２を吊支すると共に、足場用フレーム２の内側面の前後端縁部に装着している弾性シール材８、８を高欄部Ｂの外側壁面Ｂ１に前後に間隔を存して密着させ、さらに、補助足場台２’の上端周縁部に装着している弾性シール材８’を高欄部Ｂの外底面に密着させた状態にする。
【００２１】
この状態にして足場用フレーム２の上下作業床１２、１３上の作業用空間部１１内に作業員が搭乗し、上側作業床１１上の足場用フレーム２内の上側作業室を通じて該作業室に対面した高欄部Ｂの外側壁面Ｂ１の上半部に対する樹脂液等の吹き付けによる塗装作業を行うと共に下側作業床１２上の足場用フレーム２内の下側作業室を通じて該作業室に対面した高欄部Ｂの外側壁面Ｂ１の下半部に対して塗装作業を行う。さらに、足場用フレーム２の下端部から高欄部Ｂの底面下方に向かって張り出してい補助足場台２’から高欄部Ｂの外底面に対する塗装作業を行う。
【００２２】
この塗装作業時に、高欄部Ｂの外側壁面Ｂ１や外底面に吹き付けた材料（塗料）の一部は、外側壁面Ｂ１や外底面から足場用フレーム２側に跳ね返るが、足場用フレーム２は、高欄部Ｂの外側壁面Ｂ１や外底面に対面している作業用開口部を有する内側面において、その周縁部に装着している弾性シール材８、８’を高欄部Ｂの外側壁面Ｂ１と外底面に密着させているから、これらの弾性シール材８、８’によって上記跳ね返った塗料の粒子が高欄部Ｂと足場用フレーム２との間から外部に飛散するのを防止しながら全ての塗料の跳ね返り粒子を足場用フレーム２の作業用空間部１１内に受け入れる。
【００２３】
足場用フレーム２の作業用空間部１１は、高欄部Ｂの外側壁面Ｂ１と対面している足場用フレーム２の開口内側面以外の面が非通気性シート３によって密閉されているので、足場用フレーム２内から外部に飛散することなく足場用フレーム２の作業用空間部１１内で浮遊した状態となり、この浮遊粒子は作業用空間部１１内を換気しているフィルター付換気装置４の作動によって該換気装置４に配設しているフィルター４ｂにより捕捉され、外部に排出されることなく作業用空間部１１内の空気のみが換気されるものである。なお、作業員は、塗料の吹付け作業時に防塵マスクを装着して作業を行うものである。
【００２４】
高欄部Ｂの外側壁面Ｂ１に対して吹き付け塗装する材料としては、ウレタン樹脂、ウレア樹脂、ウレアウレタン樹脂等の樹脂塗料以外に、コンクリート、モルタル、ポリマーセメント系材料、或いはこれらの材料に各種短繊維を混入させてなる材料が使用される。また、このような吹き付けによる塗布作業以外に、高欄部Ｂの外側壁面Ｂ１にサンダ等による表面研削処理を施す時においても、上記作業用足場装置Ａを使用して作業を行い、研削によって生じたコンクリート等の微粉末の足場用フレーム外への飛散を防止すると共に換気装置４のフィルター４ｂによって微粒子を捕捉しながら、作業用空間部１１内の換気を行うものである。
【００２５】
足場用フレーム２が対面している高欄部Ｂの外側壁面Ｂ１部分に対する塗装等の作業が終わると、作業員が遠隔操作によって駆動モータを作動させて頂部車輪５を回転させ、足場装置Ａを高欄部Ｂの外側壁面Ｂ１に沿って次の塗装位置まで水平方向に前進させ、先に塗装した部分に連続した塗装作業等を行う。なお、足場装置Ａを停止させることなく、作業員の作業能率に応じた速度でもって連続的に前進移動させながら塗装作業等を行ってもよい。
【００２６】
この塗装作業中に、足場装置Ａが高欄部Ｂの内側壁面Ｂ２に沿って配設している電源ボックスや鉄柱等の障害物（図示せず）に達すると、内側の側部車輪６がこの障害物に付き合ったそれ以上、前進移動させることができないために、足場装置Ａを一旦停止させ、障害物に対向した先行する前端側の側部車輪６を装着している車輪フレーム９を取り外したのち、頂部車輪５と残りの内側の側部車輪６、６と共に外側の側部車輪７、７とで足場用フレーム２を安定的に支持させながら足場装置Ａを前進移動させて、上記障害物を撤去した前端側の車輪フレーム９と次の中間部側の車輪フレーム９との間に位置させる。
【００２７】
この状態にして再び足場装置Ａを停止させ、上記前端側の側部車輪６を装着している車輪フレーム９を元の位置に取付けたのち、上記中間部側の側部車輪６を装着している車輪フレーム９を取外し、しかるのち、再び、足場装置Ａを前進移動させることによって、上記障害物を撤去した中間部側の車輪フレーム９から後方に通過させる。
【００２８】
以下、同様にして、障害物と対向する側部車輪６を装着した車輪フレーム９を取外し、障害物の通過後、取付けることによって障害物を足場装置Ａの後端から後方に通過させながら、高欄部Ｂの外側壁面Ｂ１に対する塗装作業等を行うものである。
【００２９】
【発明の効果】
以上のように本発明の橋梁高欄部の作業用足場装置によれば、請求項１に記載したように、内部を作業用空間部に形成している足場フレームに作業床を敷設していると共にこの足場フレームの上端部を橋梁の高欄部の上端部に複数個の車輪を介して支持させ、高欄部の外側壁面に沿って移動可能に配設している作業用足場装置であって、上記足場フレームを形成しているフレーム部間に、高欄部の外側壁面に対面している内側面の開口部を残して非通気性シートを張設しているので、足場フレームの作業用空間部内に作業員が搭乗して足場フレームを橋梁の長さ方向に移動させながらこの足場フレームが対面している高欄部の外側壁面に樹脂液の吹き付け塗装を行ったり、或いは、外側壁面に対するサンダによる表面研削作業を円滑に行うことができると共に、外側壁面に吹き付けた塗料の粒子が跳ね返ったり、研削された外側壁面の微粉末が飛散しようとしても、高欄部の外側壁面に対面している内側面以外の足場フレームの外面を、非通気性シートで被覆しているから、塗料の粒子や外側壁面の研削された微粉末をこの非通気性シートによって外部に飛散、落下するのを確実に防止することができ、環境を悪化させることなく、塗布作業等を行うことができる。
【００３０】
さらに、請求項２に係る発明によれば、上記非通気性シートを足場フレームにおける隣接するフレーム部上に固定したシート取付用フレーム材間に張設しているので、非通気性シートを足場用フレームの外部からシート取付用フレーム材を利用して簡単に装着することができると共にその取外しや交換も容易に行えるものであり、その上、高欄部の外側壁面に対面して開口している足場フレームの内側面の外周縁部に、高欄部の外側壁面に当接する弾性シール材を装着しているので、この弾性シール材によって、該高欄部の外側壁面と足場用フレームとの間の隙間からの吹き付け塗料や研削により生じた微粉末が外部に飛散するのを確実に防止できると共にこれらの塗料粒子、或いは微粉末を足場用フレーム内に確実に受け入れさせることができ、この足場用フレームも弾性シール材と共に上記非通気性シートによって気密性が保持されているから、足場用フレーム外に飛散、流出するのを確実に防止することができる。
【００３１】
また、請求項３に係る発明によれば、足場フレームに、上記非通気性シートを貫通して足場フレームの内外に連通するフィルター付換気装置を付設しているので、高欄部の外側壁面を塗装した時の跳ね返った塗料粒子や研削の際に発生した微粒子をこの換気装置のフィルターによって捕捉させながら足場用フレーム内の空気を換気することができ、足場用フレーム内の作業用空間部を良好にして作業性を向上させることができる。
【図面の簡単な説明】
【図１】移動足場装置の簡略正面図、
【図２】その簡略側面図、
【図３】簡略平面図、
【図４】車輪フレームの拡大正面図、
【図５】非通気性シートの装着構造を示す一部の拡大横断面図、
【図６】換気装置の縦断側面図、
【図７】従来例を示す簡略正面図、
【図８】その簡略側面図。
【符号の説明】
Ａ　移動足場装置
Ｂ　高欄部
Ｂ１　外側壁面
１　支持フレーム
２　足場用フレーム
３　非通気性シート
４　フィルター付換気装置
８　弾性シール材
９　車輪フレーム
１１　作業用空間部
１５　シート取付用フレーム材
【図１】
2004100193.tif 000003
【図２】
2004100193.tif 000004
【図３】
2004100193.tif 000005
【図４】
2004100193.tif 000006
【図５】
2004100193.tif 000007
【図６】
2004100193.tif 000008
【図７】
2004100193.tif 000009
【図８】
2004100193.tif 000010